(57)【特許請求の範囲】
【請求項１】
映像が表示される矩形状の表示面を有し、かつ前記表示面に直交する方向に延びる回転軸線を中心として回転可能に支持されたディスプレイ本体と、対をなすスピーカ本体を相互に所定間隔をおいて収容したオプションユニットと、該オプションユニットを前記ディスプレイ本体に着脱自在に固定する固定機構とから構成されてなり、
該固定機構は、
前記ディスプレイ本体の背面と前記オプションユニットにおける該背面と対向する面とのいずれか一方に設けられる対をなす係合孔と、
いずれか他方に前記背面または前記対向する面に沿ってスライド可能に設けられて該係合孔に係合される対をなす係合部材と、
該係合部材を前記スライド方向に付勢する付勢部材とから構成され、
これら対をなす係合孔または係合部材のいずれかは、
前記ディスプレイ本体の背面に、前記表示面がなす矩形の一の辺に沿って少なくとも一対設けられるとともに、前記矩形の他の辺に沿っても少なくとも一対設けられ、かつそれら少なくとも一対の係合孔同士または係合部材同士の相互間隔がそれぞれ等しくして設けられ、
前記係合部材は、
前記付勢部材の付勢力に抗して初期位置からスライドされると、前記対をなす係合孔同士の相互間隔に等しくなって前記係合孔に挿入可能となり、該係合孔に挿入された状態で前記付勢部材の付勢力によって前記初期位置に戻されることにより前記係合孔に係合されることを特徴とするディスプレイ装置。
【請求項２】
前記表示面は長方形状をなし、その長辺が前記一の辺であって、短辺が前記他の辺であることを特徴とする請求項１記載のディスプレイ装置。
【請求項３】
前記固定機構は、前記対をなすスピーカ本体の中心を前記表示面と中心を一致させて両者を固定することを特徴とする請求項１または２に記載のディスプレイ装置。
【請求項４】
前記ディスプレイ本体の前記表示部と略平行かつ反対側に向けられた背面に前記係合孔が設けられたことを特徴とする請求項１ないし３のいずれかに記載のディスプレイ装置。
【請求項５】
前記ディスプレイ装置の背面と、前記オプションユニットにおける該背面に対向する面との間には、いずれか一方を他方に挿入することによって前記係合孔と前記係合部材とを前記背面と平行な面内で相対的に位置決めする位置決め機構が設けられたことを特徴とする請求項４に記載のディスプレイ装置。
【請求項６】
映像が表示される矩形状の表示面を有し、かつ前記表示面に直交する方向に延びる回転軸線を中心として回転可能に支持されたディスプレイ本体に取り付けられるものであって、
所定間隔をおいて収容された対をなすスピーカ本体と、
前記ディスプレイ本体の背面に、前記表示面がなす矩形の一の辺に沿って設けられた少なくとも一対の係合孔、または、前記矩形の他の辺に沿って設けられた少なくとも一対の係合孔のいずれか一方の係合孔に選択的に係合されるスライド可能な対をなす係合部材と、
該係合部材を前記スライド方向に付勢する付勢部材とから構成され、
前記係合部材は、
前記付勢部材の付勢力に抗して初期位置からスライドされると、前記対をなす係合孔同士の相互間隔に等しくなって前記係合孔に挿入可能となり、該係合孔に挿入された状態で前記付勢部材の付勢力によって前記初期位置に戻されることにより前記係合孔に係合されることを特徴とするオプションユニット。
【発明の詳細な説明】
【０００１】
【発明の属する技術分野】
この発明は、液晶方式、プラズマ方式、あるいはＣＲＴ方式等のディスプレイ装置、及び、これに用いられるオプションユニットに関するものである。
【０００２】
【従来の技術】
コンピュータ等に使用される液晶モニター等のディスプレイ装置には、スピーカ等を内蔵するオプションユニットが設けられることがあり、このオプションユニットは、例えは、特許第３１７５０４８に記載された取付構造によって前記ディスプレイ装置に取り付けられている。
すなわち、この従来技術は、ディスプレイ装置の筐体の下面（ディスプレイの正面の表示面と直交する面の内、下向きの面）にスピーカユニットを取り付けるもので、前記筐体の下面に設けられた係合孔および係合溝と、スピーカユニットの上面に設けられた係合部材および固定部材とを用いて前記スピーカユニットを取り付ける構成となっている。
【０００３】
このような方式で取り付けられたスピーカユニットは、一般に、前記画面とほぼ中心を同じくして取り付けられて、画像にマッチした２チャンネルステレオ再生を行うようになっている。
【０００４】
【発明が解決しようとする課題】
ところで、コンピュータにおいて取り扱われるコンテンツは多種多様であって、その形状は必ずしも横長とは限られず、またコンテンツによっては縦横が逆になった状態のものもあるから、画像の形態に応じて、ディスプレイ装置の向きを９０度回転させたい場合もある。特に、ＣＲＴ方式に比して軽量、小型の液晶方式やプラズマ方式のディスプレイ装置にあっては、前記姿勢変更操作が容易なため、従来より高い頻度で行われる傾向がある。
【０００５】
しかしながら、上記従来技術におけるスピーカユニットの取付構造にあっては、スピーカユニットがディスプレイ本体と一体となっているため、前述のようなディスプレイ装置を縦長で使用する場合に、画面にマッチした２チャンネルステレオ再生をすることができないという問題がある。
【０００６】
本発明は上記事情に鑑みてなされたもので、その目的とするところは、ディスプレイ装置の姿勢変更に対応して容易に取付方向を変更することができるオプションユニットを提供することを目的とする。
【０００７】
【課題を解決するための手段】
上記目的を達成するため、本発明は、映像が表示される矩形状の表示面を有し、かつ前記表示面に直交する方向に延びる回転軸線を中心として回転可能に支持されたディスプレイ本体と、対をなすスピーカ本体を相互に所定間隔をおいて収容したオプションユニットと、該オプションユニットを前記ディスプレイ本体に着脱自在に固定する固定機構とから構成されてなり、該固定機構は、前記ディスプレイ本体の背面と前記オプションユニットにおける該背面と対向する面とのいずれか一方に設けられる対をなす係合孔と、いずれか他方に前記背面または前記対向する面に沿ってスライド可能に設けられて該係合孔に係合される対をなす係合部材と、該係合部材を前記スライド方向に付勢する付勢部材とから構成され、これら対をなす係合孔または係合部材のいずれかは、前記ディスプレイ本体の背面に、前記表示面がなす矩形の一の辺に沿って少なくとも一対設けられるとともに、前記矩形の他の辺に沿っても少なくとも一対設けられ、かつそれら少なくとも一対の係合孔同士または係合部材同士の相互間隔がそれぞれ等しくして設けられ、前記係合部材は、前記付勢部材の付勢力に抗して初期位置からスライドされると、前記対をなす係合孔同士の相互間隔に等しくなって前記係合孔に挿入可能となり、該係合孔に挿入された状態で前記付勢部材の付勢力によって前記初期位置に戻されることにより前記係合孔に係合されることを特徴とする。
また、前記表示面は長方形状をなし、その長辺が前記一の辺であって、短辺が前記他の辺であることを特徴とする。
また、前記固定機構は、前記対をなすオプション本体の中心を前記表示面と中心を一致させて両者を固定することを特徴とする。
また、前記ディスプレイ本体の前記表示部と略平行かつ反対側に向けられた背面に前記係合孔が設けられたことを特徴とする。
また、前記ディスプレイ装置の背面と、前記オプションユニットにおける該背面に対向する面との間には、いずれか一方を他方に挿入することによって前記係合孔と前記係合部材とを前記背面と平行な面内で相対的に位置決めする位置決め機構が設けられたことを特徴とする。
また、映像が表示される矩形状の表示面を有し、かつ前記表示面に直交する方向に延びる回転軸線を中心として回転可能に支持されたディスプレイ本体に取り付けられるものであって、所定間隔をおいて収容された対をなすスピーカ本体と、前記ディスプレイ本体の背面に、前記表示面がなす矩形の一の辺に沿って設けられた少なくとも一対の係合孔、または、前記矩形の他の辺に沿って設けられた少なくとも一対の係合孔のいずれか一方の係合孔に選択的に係合されるスライド可能な対をなす係合部材と、該係合部材を前記スライド方向に付勢する付勢部材とから構成され、前記係合部材は、前記付勢部材の付勢力に抗して初期位置からスライドされると、前記対をなす係合孔同士の相互間隔に等しくなって前記係合孔に挿入可能となり、該係合孔に挿入された状態で前記付勢部材の付勢力によって前記初期位置に戻されることにより前記係合孔に係合されることを特徴とする。
【０００８】
【発明の実施の形態】
図１ないし図５は本発明の一実施形態を示すもので、符号１がディスプレイ本体、符号２がオプションユニットである。例としてスピーカが内蔵されたものを説明するが、スピーカの以外の付加的な機能を持つ種々のユニットを含むものである。
ディスプレイ本体１は、例えば液晶表示装置からなる矩形（図示の場合長方形）状の表示面１０を有し、該表示面１０と略平行かつ反対側に向けられた背面１１は、自在継手１２を介して支持スタンド１３に連結されている。すなわち、前記自在継手１２は、球面対偶等の機構を利用することにより、前記ディスプレイ本体１を図５に示す如き種々の姿勢に回転させることを可能としている。なお、前記表示面１０および背面１１に対して直交する面の内、図１の状態において下向きの面を下面１４、上向きの面を上面１５、側方へ向けられた面を側面１６，１７と称することとする。
【０００９】
前記ディスプレイ本体１とスピーカユニット２とは、ディスプレイ本体１の背面１１に設けられた２対の係合孔２０または２１のいずれか一方の対に、スピーカユニット２の前面に設けられた１対の係合部材２２を係合させることにより、着脱可能に連結されている。そして、これら係合孔２０または２１と係合部材２２とによって固定機構が構成される。また前記ディスプレイ本体１の背面１１には、２対の係合凹部２３および２４が設けられ、これらの係合凹部２３および２４のいずれか一方の対に、スピーカユニット２の前面に設けられた１対の係合凸部２５を嵌合させることにより、ディスプレイ本体１とスピーカユニット２とが前記背面１１を含む平面内で相対的に位置決めされるようになっている。そして、これら係合凹部２３または２４と係合凸部２５とによって位置決め機構が構成される。
【００１０】
前記スピーカユニット２は、内部に空間を有するものであって、その両端の音源部３０には、スピーカ本体（図示略）が収容され、これら一対の音源部３０によって１組の２チャンネル音源が構成されている。また前記スピーカユニット２は、図３に示す貫通孔３１を介して外部に連通され、この結果、この内部空間は、前記スピーカ本体（図示略）の振動板の裏側から発生する逆相の音波を反転させて放出するバスレフ方式のスピーカボックスとしての機能をも果たしている。また前記一対の音源部３０を互いに連結する連結部３２の上面は、所定面積の平面状に形成されていて、前記ディスプレイ本体１の下面１４と接している。なお、連結部３２の内部は、前記スピーカボックスとしての機能の他、必要に応じて、電力増幅用のパワーアンプ等の回路や電源回路等を収納する用途に用いても良い。なお符号３３は、スピーカユニット２とディスプレイ本体１あるいはコンピュータ（図示略）とを電気的に接続するケーブル等の引き込み口である。
【００１１】
次いで、前記スピーカユニット２をディスプレイ本体１に取り付ける構造の詳細を図４を参照して説明する。
前記係合部材２２は、スピーカユニット２の内面に沿って図４の左右方向にスライド移動自在な連結部４０を介して操作片４１に連結されている。この操作片４１は、スリット状の案内孔４２内を図４の左右方向に摺動自在に支持されており、この結果、前記係合部材２２は、前記操作片４１の操作に連動して図４の左右方向（一対のスピーカ本体を互いに結ぶ方向）へ移動することができる。
【００１２】
前記係合部材２２の先端４３は、その摺動方向に沿って互いに反対方向（外側）に向けられ、この結果、係合孔２０（２１）の周囲の板状部４３を図４（ａ）に示すようにスピーカユニット２との間に挟み込むようになっている。さらに、前記連結部４０の側方には圧縮ばね４５が設けられていて、前記係合部材２２を前記板状部４３と係合する方向へ付勢している。また、この付勢による連結部４０の移動は、ストッパ４６に接触することによって所定位置で停止されるようになっている。これに対して、付勢に対抗する方向への移動は、圧縮ばね４５を収容する筒状部４７の先端に接触することによって所定位置で規制されるようになっている。すなわち、ばねを圧縮する方向への移動が前記筒状部４７によって規制されることにより、前記係合部材２２の先端４３の位置が係合孔２０（２１）と重なるように設定されている。
【００１３】
図２に示すように、一対の係合孔２０の相互間隔Ｌと一対の係合孔２１の相互間隔Ｌは等しく設定され、また、係合孔２０と係合凹部２３との相対的な位置関係、係合孔２１と係合凹部２４との相対的な位置関係はいずれもＬなる等しい距離に設定されている。したがって、前記スピーカユニット２を係合孔２０と係合凹部２３とを利用して取り付けることも、係合孔２１と係合凹部２４とを利用して取り付けることもできるようになっている。
【００１４】
次いで、前記スピーカユニット２をディスプレイ本体１に着脱する操作を説明する。
取付操作
図１に示すように、スピーカユニット２を水平にして、ディスプレイ本体１の下に後方から差し込む操作により行われる。この操作に際して、取扱者は、スピーカユニット２を保持して手指により操作部４１を互いに内側に寄せた状態とする（図４ｂ参照）。この操作により、一対の係合部材２２の相互間隔と、一対の係合孔２０（または２１）の相互間隔とが同じになる。この状態で連結部３２の上面をディスプレイ本体１の下面１４に沿って滑らせれば、係合片２２や係合凸部２５を係合孔２０や係合凹部２１に対してほぼ高さ方向に位置決めすることができる。すなわち、連結部３２の上面の位置を適当に設定しておくことにより、この連結部３２の上面に案内させながら、スピーカユニット２を容易に位置決めすることができる。また連結部３２は、スピーカボックスとして機能するためのある程度のキャビティーが必要とされているから、前記上面についてもある程度の面積が必要である事から、音質向上と共に安定した取付操作を行うことができる。スピーカユニット２を図１の矢印方向へさらにスライドさせると、係合凸部２５が係合凹部２３に挿入される。
【００１５】
ここで、係合凸部２５を係合部材２３に対して所定の位置関係に設定しておくことにより、係合部材２２が係合孔２０と重なる位置に位置決めされ、該係合孔２０内に挿入される。その後、操作片４１を保持していた手指を離すことにより、圧縮ばね４５の復元力によって係合部材２２が図４ｂの矢印と反対方向（一対の係合部材２２が互いに離れる方向）へ移動し、図４ａに示すように、先端部４３が板状部４４を挟んだ状態となって、係合部材２２が係合孔２０と係合する。
【００１６】
取り外し操作
スピーカユニット２を保持して、操作片４１に手指を当てて内方へ押すと、先端部４３が板状部４４と重ならない位置に達し、この状態でスピーカユニット２を後方へ引き出せば、容易にスピーカユニット２をディスプレイ本体１から取り外すことができる。
【００１７】
また、ディスプレイ本体１の姿勢を図１の横長姿勢から縦長姿勢に変更する場合には、図５ａの状態から前述の操作によって図５ｂのようにスピーカユニット２を取り外し、図５ｃのように自在継手１２を中心にディスプレイ本体１を回転させて縦長姿勢とし、図５ｄあるいはｅに示すようにスピーカユニット２を側面１６に沿って滑らせながらディスプレイ本体１に取付あるいは取り外すことができる。この場合、前記係合孔２０と係合凹部２３との位置関係が係合孔２１と係合凹部２４との位置関係と等しいから、前記横長姿勢における取付、取り外し操作と同様の操作を行えば良い。この実施形態では、ディスプレイ本体１の背面に係合孔２０，２１や係合凹部２３，２４を設けているので、スピーカユニット２の取付に利用されていない方の係合孔や係合凹部がディスプレイ本体１の前面側の操作者から見えることがなく、例えばディスプレイ本体１の側面や底面をスピーカユニット２の取付に利用する場合よりもディスプレイ本体１の美感を高めることができる。
【００１８】
なお、係合部材と係合孔とを係合させるための具体的構造は前記実施形態に限定されるものではなく、例えば下記のように変形しても良い。
一対の係合部材の両方を移動させる方式に代え、一方を固定、一方のみを可動して部品点数を削減するようにしてもよい。
ディスプレイ本体１側に係合孔と係合凹部とを設け、スピーカユニット２側に係合部材と係合凸部とを設ける方式に代え、ディスプレイ本体１側に係合孔と係合凸部とを設け、スピーカユニット２側に係合部材と係合凹部とを設けるようにしてもよい。
係合部材２２の形状を実施例のようなＬ型から、先端を弾性変形容易な程度に鋭利な形状とし、取付時に取扱者が手指による操作部を寄せて保持する必要を無くし、ワンタッチ取付とする事も出来る。
固定機構の数は実施形態のような１対に限られず、さらに多くの数を設けるようにしても良い。
ディスプレイ装置の表示方式は実施形態のような液晶表示方式に限定されるものではなく、プラズマ方式やＣＲＴ方式等であってもよい。
【００１９】
【発明の効果】
以上の説明で明らかなように、本発明によれば、ディスプレイ本体の表示面がなす矩形の一の辺と他の辺とに沿ってそれぞれ複数の固定機構を設け、かつこれらの固定機構の相互間隔を一の辺と他の辺とで同じにしたので、ディスプレイ本体の姿勢変更に対応して容易にスピーカユニットを画面と整合した向きに取り付けることができる。
また前記固定機構をディスプレイ本体の背面とスピーカユニットの前面との間に設けて両者を連結しているので、ディスプレイ本体の姿勢にかかわらず、固定機構をディスプレイ本体の前方からは見え難くして、ディスプレイ装置の美感を高めることができる。
【図面の簡単な説明】
【図１】  一実施形態の分解斜視図。
【図２】  一実施形態のディスプレイ本体の背面図。
【図３】  一実施形態のスピーカユニットの正面図、上面図、背面図、および側面図。
【図４】  一実施形態の係合部材および係合孔部分の拡大断面図。
【図５】  一実施形態におけるスピーカユニット取付操作の説明図。
【符号の説明】
１  ディスプレイ本体        ２  オプションユニット
１１  背面                  １２  自在継手
１４  下面                  １６  側面
２０  ２１  係合孔          ２２  係合部材
２３  ２４  係合凹部        ２５  係合凸部
３０  音源部                ３２  連結部
４０  連結部                ４１  操作片
４３  先端                  ４４  板状部
４５  圧縮ばね              ４７  筒状部
【図１】
0003857162.tif 000002
【図２】
0003857162.tif 000003
【図３】
0003857162.tif 000004
【図４】
0003857162.tif 000005
【図５】
0003857162.tif 000006